(57)【要約】      （修正有）【課題】使いたい用途別のフィルターやシート類を選び、使用できるようにしたポケット付き万能マスクを提供する。【解決手段】上端近傍に線状、乃至細帯状の形状保持部材のノーズフィット２を埋設したマスク本体１が、その下端から略半分を覆うポケット３が設けられ、マスク本体１の両側縁には、一対の耳掛け紐４を備え、ポケット３には、用途別のフィルターやシート類５がマスク本体１の上端縁近くまで覆うようポケット３へ収納配置されるポケット付き万能マスクである。【選択図】図１
0003219086.tif 000002
【実用新案登録請求の範囲】
【請求項１】
上端近傍に撓み変形可能な塑性を有する線状、乃至細帯状の形状保持部材のノーズフィットを埋設したマスク本体が、その下端から略半分を覆うポケットが設けられ、マスク本体の両側縁には、一対の耳掛け紐を備え、ポケットには、風邪予防用、花粉症予防用、防塵用、及びアロマセラピー効果の各種香料等のフィルターやシート類が、マスク本体の上端縁近くまで覆うようポケットへ収納配置されることを特徴とするポケット付き万能マスク。
【請求項２】
ポケットには、風邪予防用、花粉症予防用、防塵用、及びアロマセラピー効果の各種香料等のフィルターやシート類が、マスク本体の上端縁近傍まで覆った上、前記フィルターやシート類の上端縁が下方へ変転されて、ポケットの前面を覆うように延展したことを特徴とする請求項１記載のポケット付き万能マスク。
【考案の詳細な説明】
【技術分野】
【０００１】  本考案は、従来のマスクと差別化を図るため、マスク本体と、用途別（風邪予防用、花粉症予防用、防塵用、アロマセラピー効果の各種香料等）のフィルターやシート類を別売りとするものである。勿論、マスク本体だけでも、風邪予防用、花粉症予防用、防塵用としても殺菌作用のあるもので、また、メガネの曇り止めにも有効な使い方が可能とするものであって、自分の使いたいものを選び使用することの出来るポケット付き万能マスクに関するものである。
【背景技術】
【０００２】  使用者に負担をかけず、外観を損わずに、呼吸する空気を浄化する空気浄化マスクを提供するに当って、マスク本体に備えたポケット状収納部に対して二酸化塩素ガスを、所定の期間の間、少しずつ、徐々に発生させて空気浄化できる空気浄化マスクがあった。
マスク本体は、二酸化塩素ガス発生体を収納できるポケット状収納部を有するものであって、ガーゼまたは不織布で、平型、プリーツ型、または立体型に形成され、収納部は、ポケット状に形成され、ガス発生体を収納可能にし、脱着可能にするもので、ガス発生体が出し入れされる開口部を上部に有し、飛び出しを防ぐために、開閉自在の折り返し片、テープまたはファスナーなどの留め具が備えられてもよい。
【先行技術文献】
【考案文献】
【０００３】
【考案文献１】
特願２０１２−２５４２７３
【考案の概要】
【考案が解決しようとする課題】
【０００４】  ポケット状収納部は、マスク本体の内面一杯に形成されたものであって、該ポケット状収納部に収納されたガス発生体よりの発生ガス（二酸化塩素ガス）は、ポケット状収納部の形成壁面を浸透発生されるので、その発生ガスがポケット状収納部の形成壁面に残存することになって、その他の用途別（風邪予防用、花粉症予防用、防塵用、アロマセラピー効果の各種香料等）発生体を使用する場合には、不都合であった。
また、ガス発生体をポケット状収納部へ完全に入れてしまうため、使い捨てできないポケット状収納部の形成壁面が直接、顔面に当るので、汚れを生じ、不衛生であった。【０００５】  そこで、本考案は、マスク本体と、用途別（風邪予防用、花粉症予防用、防塵用、アロマセラピー効果の各種香料等）のフィルターやシート類とを用いることの出来るポケット付き万能マスクを供することにある。
【課題を解決するための手段】
【０００６】  本考案のポケット付き万能マスクは、上端近傍に、撓み変形可能な塑性を有する線状、乃至細帯状の形状保持部材のノーズフィットを埋設したマスク本体が、その下端から略半分を覆うポケットが設けられ、マスク本体の両側縁には、一対の耳掛け紐を備え、ポケットには、風邪予防用、花粉症予防用、防塵用、及びアロマセラピー効果の各種香料等、用途別のフィルターやシート類がマスク本体の上端縁近くまで覆うようポケットへ収納配置されるものである。【０００７】  また、風邪予防用、花粉症予防用、防塵用、及びアロマセラピー効果の各種香料等、用途別のフィルターやシート類が、マスク本体の上端縁近くまで覆った上、前記フィルターやシート類の上端縁が下方へ変転されて、ポケット前面を覆うように延展してもよい。【０００８】  尚、マスク本体は、ポケットと共に、横方向へのプリーツが施されたプリーツ型マスクでもよいし、立体型マスクでもよい。
【考案の効果】
【０００９】  本考案のポケット付き万能マスクは、ポケットがマスク本体の半分以下であるので、ポケットに収納された用途別（風邪予防用、花粉症予防用、防塵用、アロマセラピー効果の各種香料等）のフィルターやシート類が顔面に当る確率を高くして、マスク本体の汚れを最小限になるよう防止できる。尚、用途別のフィルターやシート類をポケットの前面にまで被包するようにすれば、一層、マスク本体が顔面に触れなくなるので、更なる汚れの防止になる。【００１０】  従来のマスク使用は、一次予防（病気発病を防ぐため）、二次予防（病気の進行を抑えるため）、三次予防（病気の再発防止や介護のため）であったが、本考案の用途別のフィルターやシート類を使用するポケット付き万能マスクは、使用することに楽しみを与えるものである。
【図面の簡単な説明】
【００１１】
【図１】  ポケット付き万能マスクの裏面から見た内面図である。
【図２】  用途別のフィルターやシート類がポケットに収納配置された状態を示す断面図である。
【図３】  用途別のフィルターやシート類がポケットに収納配置された後、ポケットを被包する状態を示す断面図である。
【図４】  プリーツが施されたポケット付き万能マスクの裏面から見た内面図である
【図５】  プリーツが施されたポケット付き万能マスクのポケットに用途別のフィルターやシート類が収納配置された状態を示す断面図である。
【図６】  プリーツが施されたポケット付き万能マスクのポケットに用途別のフィルターやシート類が収納配置された後、ポケットを被包する状態を示す断面図である。
【考案を実施するための形態】
【００１２】  本考案のポケット付き万能マスクは、図１に示す如く、上端近傍に撓み変形可能な塑性を有する線状乃至細帯状の形状保持部材のノーズフィット２を埋設したマスク本体１が、その下端縁から略半分を覆うポケット３が設けられ、マスク本体１の両側縁には一対の耳掛け紐４を備え、ポケット３には、風邪予防用、花粉症予防用、防塵用、並びにアロマセラピー効用の各種香料等の用途別のフィルターやシート類５が、図２に示す如く、マスク本体１の上端縁近くまで覆うようポケット３へ収納配置されるものである。
【００１３】  また、ポケット３に収納、配置された前記用途別のフィルターやシート類５１が、図３に示す如く、マスク本体１の上端縁近傍まで覆った上、前記フィルターやシーツ類５１の上端縁が下方へ変転されて、ポケット３の前面を覆うように延展してもよい。
【００１４】  ポケット付き万能マスクは、風邪予防用、花粉症予防用、防塵用、並びにアロマセラピー効果の各種香料等の用途別のフィルターやシート類５，５１が、マスク本体１の下方略半分のポケット３に収納配置され、前記フィルターやシート類５，５１をマスク本体１の上端縁を覆い、並びに、上端縁近傍まで覆った上、前記フィルターやシート類５１の上端縁が下方へ変転されて、ポケット３の前面を覆うように延展することによって、顔面に直接触れるのは、前記用途別のフィルターやシート類５，５１であって、マット本体１を汚すことなく、衛生的に再利用が出来るものである。
【実施例１】
【００１５】  本考案のポケット付き万能マスクは、図４に示す如く、上端近傍に線状、乃至細帯状の形状保持部材のノーズフィット２を埋設したマスク本体１１に、該マスク本体が顔面にフィットされるようプリーツ１１１が施され、そのマスク本体１１の下端縁から略半分を覆うポケット３１が設けられると共に、そのポケット３１にもプリーツ３１１が施され、マスク本体１１の両側縁には一対の耳掛け紐４を備え、ポケット３１には、風邪予防用、花粉症予防用、防塵用、並びにアロマセラピー効果の各種香料等の用途別のフィルターやシート類５が、図５に示す如く、マスク本体１１の上端縁近くまで覆うようにポケット３１へ収納配置されるものである。【００１６】  また、ポケット３１に収納配置された前記用途別のフィルターやシート類５１が、図６に示す如く、マスク本体１１の上端縁近傍まで覆った上、前記ポケット３１の前面を覆うように延展されている。【００１７】  ポケット付き万能マスクは、ノーズタイット２によって鼻のラインにフィットし、マスク本体１１のプリーツ１１１、及びポケット３１のプリーツ３１１によって顔面にフィットさせることになり、風邪予防用、花粉症予防用、防塵用、並びにアロマセラピー効果の各種香料等の用途別のフィルターやシート類５，５１が、マスク本体１１の下方略半分のポケット３１に収納配置され、該フィルターやシート類５，５１がマスク本体１１の上端縁を覆い、または、上端縁近傍まで覆った上、前記フィルターやシート類５１の上端縁が下方へ変転されてポケットの前面を覆うように延展されることによって、顔面に直接触れるのは、前記用途別のフィルターやシート類５，５１であって、マスク本体１１を汚すことなく、衛生的に再利用できるものである。
【符号の説明】
【００１８】１        マスク本体
１１      マスク本体
１１１    プリーツ
２        ノーズフィット
３        ポケット
３１      ポケット
３１１    プリーツ
４        耳掛け紐
５        用途別のフィルターやシート類
５１      用途別のフィルターやシート類
【図１】
0003219086.tif 000003
【図２】
0003219086.tif 000004
【図３】
0003219086.tif 000005
【図４】
0003219086.tif 000006
【図５】
0003219086.tif 000007
【図６】
0003219086.tif 000008